(57)【要約】【課題】空気中に放出する正負両イオンの放出量の比を任意に調整することができる空気調節機を提供する。【解決手段】吸込口１から内部に吸い込んだ空気に正負イオンを付加して外部に吹き出す空気調節機において、正イオン発生部６Ａを通過した空気を正イオン用吹出口８Ａに導く正イオン用通路４Ａと、負イオン発生部６Ｂを通過した空気を負イオン用吹出口８Ｂに導く負イオン用通路４Ｂと、正イオン用通路４Ａの通風量と負イオン用通路４Ｂの通風量との風量比を調整する風量比調整手段とを備えている。風量比調整手段は正負各イオン発生部６Ａ，６Ｂの両方の風上側に亘って位置する単一のダンパー７であり、正負各イオン用通路４Ａ，４Ｂに流入する気流方向と交差する板面を有し、気流方向に沿った軸心７Ａ回りに回転して各通路４Ａ，４Ｂを塞ぐ部分の面積比の変更が可能な板状体である。【選択図】図１
2012032088.tif 000002
【特許請求の範囲】
【請求項１】
吸込口から内部に吸い込んだ空気を正イオン発生部及び負イオン発生部に通過させ、該正イオン発生部で発生した正イオン及び負イオン発生部で発生した負イオンが付加された空気を吹出口から外部に吹き出すように構成された空気調節機において、
前記吹出口は正イオン用吹出口と負イオン用吹出口とを有し、
前記正イオン発生部を通過した空気を前記正イオン用吹出口に導く正イオン用通路と、前記負イオン発生部を通過した空気を前記負イオン用吹出口に導く負イオン用通路と、前記正イオン用通路の通風量と負イオン用通路の通風量との風量比を調整する風量比調整手段とを備えていることを特徴とする空気調節機。
【請求項２】
前記風量比調整手段は、前記正イオン発生部及び負イオン発生部の両方の風上側に亘って位置する単一のダンパーであることを特徴とする請求項１に記載の空気調節機。
【請求項３】
前記ダンパーは、前記正イオン用通路及び負イオン用通路に流入する気流方向と交差する板面を有し、該気流方向に沿った軸心回りに回転して各通路を塞ぐ部分の面積比の変更が可能な板状体であることを特徴とする請求項２に記載の空気調節機。
【請求項４】
前記板状体は、板面が前記回転軸に対して傾斜していることを特徴とする請求項３に記載の空気調節機。
【請求項５】
前記ダンパーは、前記正イオン用通路及び負イオン用通路に流入する気流方向と交差する底面と該気流方向の風上側に向いた頂部を有し、該頂部を通り気流方向に沿った軸心回りに回転して各通路を塞ぐ部分の面積比の変更が可能な錐体であることを特徴とする請求項２に記載の空気調節機。
【請求項６】
前記正イオン用吹出口及び負イオン用吹出口に夫々設けたイオン検出器と、該イオン検出器の検出結果に基づいて前記風量比調整手段による風量比の調整を制御する制御手段とを備えたことを特徴とする請求項１から５までの何れか１項に記載の空気調節機。
【請求項７】
前記吹出口から吹き出した空気が供給される空間に設けたイオン検出器と、該イオン検出器の検出結果に基づいて前記風量比調整手段による風量比の調整を制御する制御手段とを備えたことを特徴とする請求項１から５までの何れか１項に記載の空気調節機。
【発明の詳細な説明】
【技術分野】
【０００１】
本発明は、正イオンと負イオンとを空気中に放出するイオン発生部を備えた空気調節機に関する。
【背景技術】
【０００２】
コロナ放電によって正イオンＨ+ （Ｈ2 Ｏ）ｍ（ｍは任意の自然数）と負イオンＯ2-（Ｈ2 Ｏ）ｎ（ｎは任意の自然数）とを発生させ、発生した正負両イオンを空気中に放出することにより、正負両イオンが空気中の浮遊カビ菌やウイルスの周りを取り囲んで付着し、その際に生成される活性種の水酸基ラジカル（・ＯＨ）の作用により、浮遊カビ菌等を不活化することが可能な空気調節機が実用化されている（特許文献１，２参照）。
【０００３】
従来、正負夫々のイオンを発生する正イオン用及び負イオン用の各イオン発生素子を備え、両方のイオン発生素子に印加する電圧を同一に調整することによって、各イオン発生素子を通過する空気に付加される正負両イオンの量をバランスさせるようにした空気調節機が公知である（特許文献３参照）。
【先行技術文献】
【特許文献】
【０００４】
【特許文献１】特開２００２−３１９４７２号公報
【特許文献２】特開２００３−４７６５１号公報
【特許文献３】特開２００９−５９７０６号公報
【発明の概要】
【発明が解決しようとする課題】
【０００５】
上記空気調節機において、正負夫々のイオン発生素子に印加する電圧を同一に調整しても、正負のイオン発生素子を通過する空気の風量や風速等の条件によってイオンの付加量が異なるため、正負両イオンの放出量をバランスさせることが困難であった。
【０００６】
本発明は、上述したような事情に鑑みてなされたものであり、空気中に放出される正負両イオンの放出量を任意の比で的確に調整することができる空気調節機を提供することを目的とする。
【課題を解決するための手段】
【０００７】
本発明に係る空気調節機は、吸込口から内部に吸い込んだ空気を正イオン発生部及び負イオン発生部に通過させ、該正イオン発生部で発生した正イオン及び負イオン発生部で発生した負イオンが付加された空気を吹出口から外部に吹き出すように構成された空気調節機において、前記吹出口は正イオン用吹出口と負イオン用吹出口とを有し、前記正イオン発生部を通過した空気を前記正イオン用吹出口に導く正イオン用通路と、前記負イオン発生部を通過した空気を前記負イオン用吹出口に導く負イオン用通路と、前記正イオン用通路の通風量と負イオン用通路の通風量との風量比を調整する風量比調整手段とを備えていることを特徴とする。
【０００８】
本発明においては、吸込口から内部に吸い込まれた空気のうち、正イオン発生部を通過して正イオンが付加された空気は正イオン用通路を通風して正イオン用吹出口から外部に吹き出し、また負イオン発生部を通過して負イオンが付加された空気は負イオン用通路を通風して負イオン用吹出口から外部に吹き出す。このとき、正イオン用通路の通風量と負イオン用通路の通風量との風量比が調整される結果、正イオンが付加されて外部に吹き出す空気の吹き出し量と負イオンが付加されて外部に吹き出す空気の吹き出し量との比が調整される。
【０００９】
本発明に係る空気調節機は、前記風量比調整手段は、前記正イオン発生部及び負イオン発生部の両方の風上側に亘って位置する単一のダンパーであることを特徴とする。
本発明においては、正イオン発生部及び負イオン発生部の両方の風上側に亘って位置する単一のダンパーが、正イオン発生部を通過して正イオン用通路に流入する気流を遮る部分と負イオン発生部を通過して不イオン用通路に流入する気流を遮る部分との変更されるように作動する。
【００１０】
本発明に係る空気調節機は、前記ダンパーは、前記正イオン用通路及び負イオン用通路に流入する気流方向と交差する板面を有し、該気流方向に沿った軸心回りに回転して各通路を塞ぐ部分の面積比の変更が可能な板状体であることを特徴とする。
本発明においては、正イオン用通路及び負イオン用通路に流入する気流方向と交差する板面を有する板状体が気流方向に沿った軸心回りに回転し、正イオン用通路を塞ぐ板状体の部分と負イオン用通路を塞ぐ板状体の部分との面積比が変更されることにより、正イオン用通路の通風量と負イオン用通路の通風量との風量比が調整される。
【００１１】
本発明に係る空気調節機は、前記板状体は、板面が前記回転軸に対して傾斜していることを特徴とする。
本発明においては、板状体によって遮られた空気が板状体の傾斜に沿って流れるので、板状体を通過する空気に対する抵抗が小さくなる。その結果、板状体を通過する空気による騒音を低下させ、また、風を発生するための送風機等の電力が低減できる。
【００１２】
本発明に係る空気調節機は、前記ダンパーは、前記正イオン用通路及び負イオン用通路に流入する気流方向と交差する底面と該気流方向の風上側に向いた頂部を有し、該頂部を通り気流方向に沿った軸心回りに回転して各通路を塞ぐ部分の面積比の変更が可能な錐体であることを特徴とする。
本発明においては、正イオン用通路及び負イオン用通路に流入する気流方向と交差する底面を有する錐体が気流方向の風上側に向いた頂部を通り気流方向に沿った軸心回りに回転し、正イオン用通路を塞ぐ錐体の部分と負イオン用通路を塞ぐ錐体の部分との面積比が変更されることにより、正イオン用通路の通風量と負イオン用通路の通風量との風量比が調整される。
また、錐体によって遮られた空気が錐体の頂部から周縁への傾斜面に沿って流れるので、錐体を通過する空気に対する抵抗が小さくなる。その結果、錐体を通過する空気による騒音を低下させ、また、風を発生するための送風機等の電力が低減できる。
【００１３】
本発明に係る空気調節機は、前記正イオン用吹出口及び負イオン用吹出口に夫々設けたイオン検出器と、該イオン検出器の検出結果に基づいて前記風量比調整手段による風量比の調整を制御する制御手段とを備えたことを特徴とする。
本発明においては、正イオン用吹出口及び負イオン用吹出口に夫々設けたイオン検出器の検出結果に基づいて、正イオン用通路の通風量と負イオン用通路の通風量との風量比を調整する風量比調整手段が制御される。その結果、正イオン用吹出口及び負イオン用吹出口から正負両イオンが所望の吹出し量の比で吹き出すように制御することができる。
【００１４】
本発明に係る空気調節機は、前記吹出口から吹き出した空気が供給される空間に設けたイオン検出器と、該イオン検出器の検出結果に基づいて前記風量比調整手段による風量比の調整を制御する制御手段とを備えたことを特徴とする。
本発明においては、正イオン用吹出口及び負イオン用吹出口から吹き出した正負両イオンが供給される空間に設けたイオン検出器の検出結果に基づいて、正イオン用通路の通風量と負イオン用通路の通風量との風量比を調整する風量比調整手段が制御される。その結果、正負両イオンが供給される空間に正負両イオンが所望の比で存在するように制御することができる。
【発明の効果】
【００１５】
本発明によれば、正イオン用通路の通風量と負イオン用通路の通風量との風量比を調整することにより、正イオンが付加されて外部に吹き出す空気の吹き出し量と負イオンが付加されて外部に吹き出す空気の吹き出し量との比が調整されるので、空気中に放出される正負両イオンの放出量を任意の比で的確に調整することができる空気調節機が提供される。その結果、浮遊カビ菌や細菌等を殺菌し、ウイルスやアレルゲン等を不活化し、空間や物品等を除電するための正負イオンが適切な比率で存在するイオン空間を生成することができる。
【００１６】
また、本発明によれば、風量比調整手段を正イオン発生部及び負イオン発生部の両方の風上側に亘って位置する単一のダンパーで構成したので、簡素な構成の部材により正負両イオンの放出量を任意の比で的確に調整することができる空気調節機が提供される。
【００１７】
また、本発明によれば、正負各イオンが吹き出す吹出口又は正負両イオンが放出される空間に設置したイオン検出器の情報に基づいて、正負両イオンのイオンバランスの制御を適切に実行することができる空気調節機が提供される。
【図面の簡単な説明】
【００１８】
【図１】本発明の実施の形態１に係る空気調節機の概略構造を示す正面断面図である。
【図２】イオン発生装置の斜視図である。
【図３】図１に示す空気調節機の動作を説明する図である。
【図４】正イオン用通路の開放部分の断面積の変化を示すグラフである。
【図５】実施の形態１の変形例に係る空気調節機の動作を説明する図である。
【図６】図１に示す空気調節機の制御構成のブロック図である。
【図７】本発明の実施の形態２に係る空気調節機の概略構造を示す正面断面図である。
【図８】本発明の実施の形態３に係る空気調節機の概略構造を示す正面断面図である。
【図９】本発明の実施の形態４に係る空気調節機の設置状態の一例を示す図である。
【発明を実施するための形態】
【００１９】
以下、本発明に係る空気調節機の実施の形態について図面に基づいて説明する。
（実施の形態１）
図１は本発明の実施の形態１に係る空気調節機の概略構造を示す正面断面図、図２はイオン発生装置の斜視図、図３は図１に示す空気調節機の動作を説明する図、図４は正イオン用通路の開放部分の断面積の変化を示すグラフである。尚、図３は空気調節機を上から見た状態を示す。
【００２０】
本発明に係る空気調節機は、縦長の直方体形状のハウジング１０の下部横側面に吸込口１を有し、吸込口１から空気を吸い込んで上方に送風するファン（送風機）２をハウジング１０の内部に設けている。
【００２１】
ファン２の上方側に、上向きの通風路を形成する円筒状のダクト３が設けてあり、ダクト３は上下中央部分で内側に張り出して断面積が狭くなっている。ダクト３の上下中央部分の下端付近からハウジング１０の上面に亘って、断面が円形の通風路を左右に仕切る仕切板５が設けてある。
【００２２】
ダクト３内の上下中央部分に、正イオン発生部６Ａと負イオン発生部６Ｂとを備えたイオン発生装置６が設置されている。イオン発生装置６は、扁平で細長い基板６１上に形成した孔に設けた円環状の誘導電極６２と、誘導電極６２の中央に位置する針電極６３とを有する正負の各イオン発生部６Ａ，６Ｂを夫々２個備えている。正イオン発生部６Ａは仕切板５によって仕切られた一方の半円形の正イオン用通路４Ａ内に位置し、負イオン発生部６Ｂは仕切板５によって仕切られた他方の半円形の負イオン用通路４Ｂ内に位置している。正イオン発生部６Ａと負イオン発生部６Ｂとは断面が円形の通風路を横切る方向に並置され、イオン放出面となる基板６１の表面が各通路４Ａ、４Ｂ内の気流方向と平行に配置されている。
【００２３】
正イオン発生部６Ａでは、誘導電極６２と針電極６３との間にプラスの高電圧、又は、プラスにバイアスした交流インパルス電圧を印加することにより正イオンが発生し、負イオン発生部６Ｂでは、誘導電極６２と針電極６３との間にマイナスの高電圧、又は、マイナスにバイアスした交流インパルス電圧を印加することにより負イオンが発生する。正イオン発生部６Ａは正イオン用通路４Ａ内に正イオンを送出し、負イオン発生部６Ｂは負イオン用通路４Ｂ内に負イオンを送出する。
【００２４】
正イオン発生部６Ａと負イオン発生部６Ｂとの風上側に、楕円板状のダンパー７が板面をダクト３の軸方向と直交するように設置されている。ダンパー７は、楕円の長軸の長さが通風路の円形断面の直径より少し短く、楕円の中心から短軸方向に偏心した位置にダクト３の軸方向に沿う回転軸７Ａを有している。回転軸７Ａは仕切板５の縁部に設けた軸受け（不図示）に枢支されている。ダンパー７が回転軸７Ａ回りに回転することにより、ダンパー７で塞がれる正イオン用通路４Ａ及び負イオン用通路４Ｂの各断面積を変化させるように構成してある（図３参照）。
【００２５】
ハウジング１０の上面には、正イオン用吹出口８Ａと負イオン用吹出口８Ｂとが分けて設けてあり、正イオン用通路４Ａの上端は正イオン用吹出口８Ａに連通し、負イオン用通路４Ｂの上端は負イオン用吹出口８Ｂに連通している。正イオン用吹出口８Ａ及び負イオン用吹出口８Ｂの内壁には、夫々イオン検出器９が設置してある。
【００２６】
次に、本発明に係る空気調節機の動作について説明する。ファン２が回転すると、吸込口１から吸い込まれた空気が上方に送風され、ダンパー７によって塞がれていない流入部分を通過して正イオン用通路４Ａ及び負イオン用通路４Ｂに流入する。正イオン用通路４Ａに流入した空気は正イオン発生部６Ａを通過して正イオンが付加された後、正イオン用吹出口８Ａから外部に吹き出す。負イオン用通路４Ｂに流入した空気は負イオン発生部６Ｂを通過して負イオンが付加された後、負イオン用吹出口８Ｂから外部に吹き出す。
【００２７】
イオン発生装置６が発生するイオンは、正イオンがＨ+ （Ｈ2 Ｏ）ｍ（ｍは任意の自然数）、負イオンがＯ2-（Ｈ2 Ｏ）ｎ（ｎは任意の自然数）となるように構成されており、正負のイオンは空気中に送出されることによって、空気中の浮遊細菌やウィルスに付着し、その際に起こる反応によって水酸基ラジカルを生じその活性によって殺菌もしくは不活化をする。また、付着する物質が空気中のにおい物質やアレルゲンであっても付着した物質を破壊する効果を示すことが明らかにされている。
【００２８】
ダンパー７が回転することにより、図３のａからｉに示すように正イオン用通路４Ａ及び負イオン用通路４Ｂの通気部分の断面積のバランスが変更され、ファン２からイオン発生装置６を経由して正イオン用吹出口８Ａ及び負イオン用吹出口８Ｂに送られる各風量のバランスを調節することが可能となる。図４には、図３のａからｉに対応させて、正イオン用通路４Ａの断面積の変化を示している。尚、図４のグラフの縦軸はダクト３で囲まれる断面積を１００％としている。図より、ａ，ｅ，ｉの各位置で正イオン用通路４Ａ及び負イオン用通路４Ｂの通気部分の断面積が等しくなり、ｃの位置で正イオン用通路４Ａの通気部分の断面積が最大（負イオン用通路４Ｂの通気部分の断面積が最小）となり、ｇの位置で正イオン用通路４Ａの通気部分の断面積が最小（負イオン用通路４Ｂの通気部分の断面積が最大）となる。
【００２９】
正負の各イオン発生部６Ａ，６Ｂで発生する各イオン量は同一の電極構造であれば、電極部分に印加される電圧や電力によって決まるが、各イオン発生部６Ａ，６Ｂから搬送される各イオン量は各イオン発生部６Ａ，６Ｂを通過する風量や風速に影響されるため、通風量のバランスを調整して、放出する正負イオンのバランスをコントロールすることが可能になる。
【００３０】
以上のように、本発明においては、正イオン用通路４Ａ及び負イオン用通路４Ｂの通気部分の断面積を変えることで各通路の通風量を調整するので、ダンパーの形状は楕円形の他に、半円形、円形、矩形その他の多角形であっても構わない。また、周縁に切欠きを設けた板状体であっても、通気用の穴を設けた板状体であっても構わない。さらには、平板であることに限定されず、立体形状であることも許容される。
【００３１】
また、ダンパーが回転して正イオン用通路４Ａ及び負イオン用通路４Ｂの流通部分をすべて覆う形状も可能であり、また、ダンパーの大きさを小さくして各イオン用通路の流通部分がダンパーで最大限覆われる場合でも、断面積の減少を小さくするような形状でも構わない。図５は実施の形態１の変形例に係る空気調節機の動作を説明する図である。図５のダンパー１１は、図３に示すダンパー７に比べて長軸の長さを短くし、短軸の長さを長くした小型のダンパーであり、楕円の中心から長軸方向に偏心した位置に回転軸１１Ａを有している。このダンパー１１の場合は通気部分の断面積の調整幅が小さくなる。
【００３２】
次に、本発明に係る空気調節機の制御構成について説明する。図６は図１に示す空気調節機の制御構成のブロック図である。マイクロコンピュータによって構成した制御部１２を設け、制御部１２に各イオン検出器９の検出信号が入力している。一方、制御部１２から、ファン２を回転駆動するファンモータ１３及びダンパー７，１１の回転軸７Ａを回転駆動するダンパー用モータ１４に対する駆動信号が出力されている。尚、図示は省略するが、制御部１２、ファンモータ１３及びダンパー用モータ１４はハウジング１０内に設置されている。
【００３３】
制御部１２は、イオン検出器９によって、正イオン用吹出口８Ａ及び負イオン用吹出口８Ｂから外部に吹き出す空気中のイオンバランスを感知し、目標とするイオンバランスと異なっている場合には、ダンパー用モータ１４を駆動して回転軸７Ａを回転させ、正イオン用通路４Ａ及び負イオン用通路４Ｂの通気部分の断面積を調整することにより、空気中に放出されるイオンバランスをコントロールする。
【００３４】
イオンバランスの制御内容は運転モードとして制御部１２に記憶されている。例えば、「標準」モードでは正負イオンをほぼ等量放出する。「除菌」モードでは「標準」モードよりも全体のイオン量を多くして正負イオンをほぼ等量送出する。「消臭」モードでは「除菌」モードよりもさらに全体のイオン量を多くして正負イオンをほぼ等量送出する。「リラックス」モードでは「標準」モードの状態から負イオンのみ増量する。尚、イオンバランスを調整する場合は上記説明によってダンパー７，１１の回転角度の制御だけでも可能であるが、全体のイオン量を増加するときにはファンモータ１３の回転数を増加して風量を増すことによって行う。
【００３５】
（実施の形態２）
図７は本発明の実施の形態２に係る空気調節機の概略構造を示す正面断面図である。実施の形態２では、ダンパー１１が回転軸１１Ａに対して傾斜している点が実施の形態１と異なる。尚、図７にはダンパー１１の場合を図示しているが、ダンパー７についても同様に回転軸７Ａに対して傾斜する構成が可能である。
【００３６】
実施の形態２では、ダンパー７，１１の面を気流方向と直交する方向から傾けることで、正イオン用通路４Ａ及び負イオン用通路４Ｂ内に流入する風に対する抵抗を軽減している。その結果、気流がダンパー７，１１を経由するときに発生する騒音が低下されるとともに、送風機（ファン２）の消費電力が抑制できる。
【００３７】
（実施の形態３）
図８は本発明の実施の形態３に係る空気調節機の概略構造を示す正面断面図である。実施の形態３では、立体形状のダンパー１３である点で実施の形態１と異なる。ダンパー１３は、正イオン用通路４Ａ及び負イオン用通路４Ｂに流入する気流方向と交差する底面１３Ｂと気流方向の風上側に向いた頂部１３Ｃを有し、頂部１３Ｃを通り気流方向に沿った回転軸１３Ａ回りに回転して各通路４Ａ、４Ｂを塞ぐ部分の面積比の変更が可能な錐体である。具体的には、底面１３Ｂは実施の形態１のダンパー７の板面形状と同一の楕円形状であり、回転軸１３Ａはダンパー７の回転軸７Ａと同様に底面１３Ｂの中心に対して偏心した（図３参照）円錐体であり、斜面１３Ｄの傾斜は全周で同一ではない。
【００３８】
実施の形態３では、風上側に頂部１３Ｃが向いた円錐体形状として、風に対する抵抗を軽減しているので、気流がダンパー１３を経由するときに発生する騒音が低下されるとともに、送風機（ファン２）の消費電力が抑制できる。
【００３９】
（実施の形態４）
図９は本発明の実施の形態４に係る空気調節機の設置状態の一例を示す図である。実施の形態４では、空気調節機の吹出口８Ａ，８Ｂではなく、空気調節機を設置している空間（室内）の壁等にイオン検出器１５を設置している点で実施の形態１〜３と異なる。実施の形態４では、イオン検出器１５と空気調節機本体１４との間にデータを送受する機能が必要となるが、他の電気機器等で従来採用されている有線又は無線による方法等を使用することができる。
実施の形態４では、正負イオンが放出される空間でのイオンバランスの検出情報に基いて、より正確に空間のイオンバランスを制御することが可能となる。
【００４０】
上記の実施の形態１〜４では、正イオン発生部６Ａと負イオン発生部６Ｂとの風上側に設けた単一のダンパー７，１１，１３を気流方向に沿った回転軸回りに回転させて正イオン用通路４Ａ及び負イオン用通路４Ｂを塞ぐ部分の面積比を変更するように構成したが、単一のダンパーを気流方向と交差する方向に平行移動させて各通路４Ａ，４Ｂを塞ぐ部分の面積比を変更するようにしてもよい。
【００４１】
上記の実施の形態１〜４では、正イオン発生部６Ａと負イオン発生部６Ｂとの風上側に単一のダンパー７，１１，１３を設けたが、正イオン発生部６Ａと負イオン発生部６Ｂ夫々の風上側に各別にダンパーを設けるようにしてもよい。
【符号の説明】
【００４２】
１          吸込口
４Ａ        正イオン用通路
４Ｂ        負イオン用通路
６Ａ        正イオン発生部
６Ｂ        負イオン発生部
７          板状体（ダンパー、風量比調整手段）
７Ａ        回転軸（軸心）
８Ａ        正イオン用吹出口
８Ｂ        負イオン用吹出口
９          イオン検出器
１１        板状体（ダンパー、風量比調整手段）
１１Ａ      回転軸（軸心）
１２        制御部（制御手段）
１３        錐体（ダンパー、風量比調整手段）
１３Ａ      回転軸（軸心）
１３Ｂ      底面
１３Ｃ      頂部
１５        イオン検出器
【図１】
2012032088.tif 000003
【図２】
2012032088.tif 000004
【図３】
2012032088.tif 000005
【図４】
2012032088.tif 000006
【図５】
2012032088.tif 000007
【図６】
2012032088.tif 000008
【図７】
2012032088.tif 000009
【図８】
2012032088.tif 000010
【図９】
2012032088.tif 000011